(57)【要約】【課題】本発明は画像読取装置の原稿載置部における照度分布と読取線を高精度に計測する照度分布計測装置及び照度分布計測方法を提供する。【解決手段】照度分布計測システム１は、コンタクトガラス１０３上に拡散透過板１０をコンタクトガラス１０３上に載置し、拡散透過板１０の読取線位置に読取線位置マークをＬＥＤ１５で付与して、画像読取装置１００のランプから照明光の照射されている拡散透過板１０を上方から撮影装置２０で撮影するとともに、画像読取装置１００の撮像素子の撮像したコンタクトガラス１０３上の拡散透過板１０とＬＥＤ１５の付与した読取線位置マークの撮像画像を画像入力装置４０で取得して、取得した拡散透過板１０と読取線位置マークの撮像画像に基づいて読取線位置を決定し、照度計測装置３０が、この決定した読取線位置の撮影画像と画像信号強度分布に対応する基準読値照度テーブルに基づいて当該撮影画像の照度分布を算出する。【選択図】　　　　　図１
2004037156.tif 000002
【特許請求の範囲】
【請求項１】
原稿載置台上に載置された原稿に当該原稿載置台の下方から照明手段で照明光を読取線位置に照射して前記原稿からの反射光を撮像手段に入射して当該原稿の画像を読み取る画像読取装置の前記照明手段による前記原稿載置台への前記照明光の照度分布を計測する照度分布計測装置において、前記原稿載置台上に載置され前記照明手段からの前記照明光を拡散透過する拡散透過板と、当該拡散透過板の読取線位置に読取線位置マークを付与するマーキング手段と、前記照明手段から前記照明光の照射されている前記拡散透過板を当該拡散透過板の上方から撮影する撮影手段と、前記撮影手段の撮影した撮影画像を取り込んで記憶する画像記憶手段と、前記画像読取装置の前記撮像手段の撮像した前記原稿載置台上の前記拡散透過板と前記マーキング手段の付与した前記読取線位置マークの撮像画像を取得する画像入力手段と、画像信号強度分布に対応する基準読値照度テーブルを記録するデータ記録手段と、前記画像入力手段の取得した前記拡散透過板と前記読取線位置マークの撮像画像に基づいて読取線位置を決定して、当該決定した読取線位置の前記画像記憶手段の前記撮影画像と前記データ記憶手段の前記基準読値照度テーブルに基づいて当該撮影画像の照度分布を算出する照度計測手段と、を備えていることを特徴とする照度分布計測装置。
【請求項２】
前記照度分布計測装置は、前記撮影手段の光学的な収差を補正するための収差補正データを記憶する収差補正データ記憶手段と、当該収差補正データ記憶手段の収差補正データに基づいて前記撮影画像を補正する収差補正手段と、をさらに備え、前記照度計測手段が、当該収差補正手段で補正された撮影画像に基づいて前記照度分布を算出することを特徴とする請求項１記載の照度分布計測装置。
【請求項３】
前記拡散透過板は、表面反射を防止する減反射構造を備えていることを特徴とする請求項１または請求項２記載の照度分布計測装置。
【請求項４】
前記拡散透過板は、光を吸収するフィルタ構造を備えていることを特徴とする請求項１または請求項２記載の照度分布計測装置。
【請求項５】
前記マーキング手段は、発光手段を備え、当該発光手段が発光することで前記読取線位置マークを前記拡散透過板の読取線位置に付与することを特徴とする請求項１から請求項４のいずれかに記載の照度分布計測装置。
【請求項６】
前記照度分布計測装置は、前記拡散透過板及び前記マーキング手段の近傍に、副走査方向の寸法を明示する基準パターンが配設されていることを特徴とする請求項１から請求項５のいずれかに記載の照度分布計測装置。
【請求項７】
前記照度分布計測装置は、前記撮影手段の撮影時間と前記マーキング手段の前記発光手段の発光時間を略同一にすることを特徴とする請求項５または請求項６記載の照度分布計測装置。
【請求項８】
前記照度分布計測装置は、前記画像読取装置が画像読取開始時に出力する制御信号を取り込んで前記撮影手段の撮影タイミングを決定する撮影タイミング決定手段を備えていることを特徴とする請求項１から請求項７のいずれかに記載の照度分布計測装置。
【請求項９】
前記撮影タイミング決定手段は、前記画像読取装置の前記制御信号に基づいて、前記撮影手段の撮影時間を当該画像読取装置の画像読取時間に比例した時間に決定することを特徴とする請求項８記載の照度分布計測装置。
【請求項１０】
前記照度計測手段は、前記撮影タイミング決定手段の決定した前記画像読取装置の前記撮像手段による撮像時間と前記撮影手段による撮影時間との比に応じて、前記画像記憶手段の前記撮影画像の信号強度レベルを補正し、当該補正後の信号強度レベルの前記撮影画像に基づいて前記照度分布を算出することを特徴とする請求項９記載の照度分布計測装置。
【請求項１１】
原稿載置台上に載置された原稿に当該原稿載置台の下方から照明手段で照明光を読取線位置に照射して前記原稿からの反射光を撮像手段に入射して当該原稿の画像を読み取る画像読取装置の前記照明手段による前記原稿載置台への前記照明光の照度分布を計測する照度分布計測方法において、前記照明手段からの前記照明光を拡散透過する拡散透過板を前記原稿載置台上に載置し、当該拡散透過板の読取線位置に読取線位置マークをマーキング手段で付与して、前記照明手段から前記照明光の照射されている前記拡散透過板を当該拡散透過板の上方から撮影手段で撮影するとともに、前記画像読取装置の前記撮像手段の撮像した前記原稿載置台上の前記拡散透過板と前記マーキング手段の付与した読取線位置マークの撮像画像を画像入力手段で取得し、当該取得した拡散透過板と読取線位置マークの撮像画像に基づいて読取線位置を決定し、当該決定した読取線位置の前記撮影画像と画像信号強度分布に対応する基準読値照度テーブルに基づいて当該撮影画像の照度分布を算出することを特徴とする照度分布計測方法。
【請求項１２】
前記照度分布計測方法は、前記撮影手段の光学的な収差を補正するための収差補正データに基づいて前記撮影画像を補正し、当該収差補正した撮影画像に基づいて前記照度分布を算出することを特徴とする請求項１１記載の照度分布計測装置。
【請求項１３】
前記照度分布計測方法は、前記計測対象の画像読取装置が画像読取開始時に出力する制御信号を取り込んで、前記撮影手段の撮影タイミングを決定することを特徴とする請求項１１または請求項１２に記載の照度分布計測方法。
【請求項１４】
前記照度分布計測方法は、前記画像読取装置の前記制御信号に基づいて前記撮影手段の撮影時間を当該画像読取装置の画像読取時間に比例した時間に決定することを特徴とする請求項１３記載の照度分布計測方法。
【発明の詳細な説明】
【０００１】
【発明の属する技術分野】
本発明は、照度分布計測装置及び照度分布計測方法に関し、詳細には、原稿載置部上の原稿に光を照射してその反射光を撮像素子で光電変換して原稿の画像を読み取る画像読取装置の当該原稿載置部における照度分布と読取線を高精度に計測する照度分布計測装置及び照度分布計測方法に関する。
【０００２】
【従来の技術】
スキャナ、複写装置及びファクシミリ装置等の画像読取装置においては、画像読取装置を設計する際、設計結果を評価する必要があり、この設計結果の評価の最も一般的な方法は、従来、設計結果に従って画像読取装置を試作して、評価する方法である。
【０００３】
一方、近年においては、設計結果としての設計データを用いてコンピュータシミュレーションを行なうことにより評価する方法も提供されている。例えば、特開平９−６８２７号公報に示されている電子撮像装置のシミュレーション方法および装置では、撮像素子と光学系と処理回路を有する電子撮像装置を評価対象にして、任意の原稿に対する光学系による結像画像を算出することにより、画像読取装置の試作を行うことなく、取得画像の画像品質を予測して、設計結果を評価しようとする。
【０００４】
また、特開２０００−２３５５９６号公報に示されている画像システムハードウェア構成要素シミュレーションシステムおよび方法では、照明および光学系を含んだ画像システムをシミュレーションの対象にして、その画像システムに含まれる構成要素をモデル化し、そのモデルに基づいてシミュレーションを行い、予測される画像を生成することにより、画像読取装置の試作を行うことなく、取得画像の画像品質を予測して、設計結果を評価しようとしている。
【０００５】
ところが、特開平９−６８２７号公報及び特開２０００−２３５５９６号公報記載の従来技術にあっては、画像読取装置の原稿載置部での照明系の照度分布と当該照度分布において撮像素子が実際に読み取っている撮像領域である１ライン（以下、読取線）の計測法については言及していない。
【０００６】
したがって、画像読取装置の原稿載置部における照度分布の計測法についての具体的な従来技術としては、実際に製作された画像読取装置を対象にして実測する方法に限定される。
【０００７】
すなわち、従来の計測法は、図２８に示すように、計測対象の画像読取装置５００の原稿載置台５０１上に照度計５０２のプローブ５０３を設置し、画像読取装置５００の光源を点灯させて、原稿設置台５０１上の照度を計測している。なお、図２８において、５０４は、画像読取装置５００の原稿による照明光を示している。
【０００８】
そして、このような従来の計測法では、照度計５０２の応答速度が画像読取装置５００の線順次読取走査速度に対応できない場合、画像読取装置５００の線順次動作を止めて、静止状態で照度を計測している。また、原稿面照度分布を検出するには、画像読取装置５００の線順次動作を止めて、点灯状態で固定し、照度計のプローブ５０３を動かして、各位置毎の計測値を記録している。
【０００９】
【発明が解決しようとする課題】
しかしながら、このような従来の計測法にあっては、以下のような問題があった。
【００１０】
まず、第１に、従来の一般的な照度計による計測法では、１回に１点のみしか計測することができず、照度分布を画像読取装置の原稿載置面の全てについて検出するには多大な時間が必要であり、効率が悪いという問題があった。
【００１１】
また、第２に、従来の照度分布計測法で原稿面照度分布を計測するには、画像読取装置のランプを長時間連続点灯する必要があり、温度上昇に伴うランプ点灯状態が変動して、正確な照度計測を行うことができないという問題があった。
【００１２】
さらに、第３に、従来の計測法では、画像読取装置における実際の線順次読み取りに即した原稿面照度分布を検出することができず、改良の必要があった。
【００１３】
そして、第４に、従来の計測法では、原稿面照度分布を計測する際に、画像読取装置の正確な読取線位置を検出することがでず、正確な照度分布を計測することができないという問題があった。
【００１４】
そこで、請求項１記載の発明は、原稿載置台上に載置された原稿に当該原稿載置台の下方から照明手段で照明光を読取線位置に照射して原稿からの反射光を撮像手段に入射して当該原稿の画像を読み取る画像読取装置の照明手段による原稿載置台への照明光の照度分布を計測するに際して、照明手段からの照明光を拡散透過する拡散透過板を原稿載置台上に載置し、当該拡散透過板の読取線位置に読取線位置マークをマーキング手段で付与して、照明手段から照明光の照射されている拡散透過板を当該拡散透過板の上方から撮影手段で撮影するとともに、画像読取装置の撮像手段の撮像した原稿載置台上の拡散透過板とマーキング手段の付与した読取線位置マークの撮像画像を画像入力手段で取得し、当該取得した拡散透過板と読取線位置マークの撮像画像に基づいて読取線位置を決定して、当該決定した読取線位置の撮影画像と画像信号強度分布に対応する基準読値照度テーブルに基づいて当該撮影画像の照度分布を算出することにより、１回の操作で、かつ、より短時間で、原稿面照度分布と読取線位置を取得し、効率的にかつ高精度に照度分布を計測することのできる照度分布計測装置を提供することを目的としている。
【００１５】
請求項２記載の発明は、撮影手段の光学的な収差を補正するための収差補正データに基づいて撮影画像を補正し、当該補正された撮影画像に基づいて照度分布を算出することにより、撮影手段の光学的な収差の影響をなくして、より高精度に照度分布を計測することのできる照度分布計測装置を提供することを目的としている。
【００１６】
請求項３記載の発明は、拡散透過板を、表面反射を防止する減反射構造を備えたものとすることにより、照明光が表面反射によって再度画像読取装置内に戻ってフレア現象を引き起こすことを防止し、より一層高精度に照度分布を計測することのできる照度分布計測装置を提供することを目的としている。
【００１７】
請求項４記載の発明は、拡散透過板を、光を吸収するフィルタ構造を備えたものとすることにより、照明光が表面反射によって再度画像読取装置内に戻ってフレア現象を引き起こすことを防止し、より一層高精度に照度分布を計測することのできる照度分布計測装置を提供することを目的としている。
【００１８】
請求項５記載の発明は、マーキング手段を、発光手段を備え、当該発光手段が発光することで読取線位置マークを拡散透過板の読取線位置に付与するものとすることにより、画像読取装置の撮像画像から読取線位置をより簡単かつ適切に検出できるようにし、より一層高精度に照度分布を計測することのできる照度分布計測装置を提供することを目的としている。
【００１９】
請求項６記載の発明は、拡散透過板及びマーキング手段の近傍に、副走査方向の寸法を明示する基準パターンを配設することにより、撮影画像と撮像画像に基準パターンを含ませて、撮像画像上の読取線位置情報を、撮影画像への読取線位置情報に補正して、精度よく読取線位置を決定し、より一層高精度に照度分布を計測することのできる照度分布計測装置を提供することを目的としている。
【００２０】
請求項７記載の発明は、撮影手段の撮影時間とマーキング手段の発光手段の発光時間を略同一にすることにより、読取線位置を副走査方向の１画素の精度で正確かつ高速に検出できるようにし、より一層高精度に照度分布を計測することのできる照度分布計測装置を提供することを目的としている。
【００２１】
請求項８記載の発明は、画像読取装置が画像読取開始時に出力する制御信号を取り込んで撮影手段の撮影タイミングを決定することにより、画像読取装置が線順次読み取り動作での任意位置の照度分布を計測できるようにし、より実際の画像読取動作における照度分布を計測して、より一層高精度に照度分布を計測することのできる照度分布計測装置を提供することを目的としている。
【００２２】
請求項９記載の発明は、画像読取装置の制御信号に基づいて、撮影手段の撮影時間を当該画像読取装置の画像読取時間に比例した時間に決定することにより、画像読取装置の撮像手段での蓄積時間（画像読取時間）に相当する光量の照度分布を簡便に取得できるようにし、より簡単かつ高精度に照度分布を計測することのできる照度分布計測装置を提供することを目的としている。
【００２３】
請求項１０記載の発明は、決定した画像読取装置の撮像手段による撮像時間と撮影手段による撮影時間との比に応じて、撮影画像の信号強度レベルを補正し、当該補正後の信号強度レベルの撮影画像に基づいて照度分布を算出することにより、撮影時間を短くして、照明光が撮影手段の受光レンジの範囲を超えて画像データの値が飽和してしまうことを回避しつつ、常に所定時間当たりの照度値を取得できるようにし、より一層高精度に照度分布を計測することのできる照度分布計測装置を提供することを目的としている。
【００２４】
請求項１１記載の発明は、原稿載置台上に載置された原稿に当該原稿載置台の下方から照明手段で照明光を読取線位置に照射して原稿からの反射光を撮像手段に入射して当該原稿の画像を読み取る画像読取装置の照明手段による原稿載置台への照明光の照度分布を計測するに際して、照明手段からの照明光を拡散透過する拡散透過板を原稿載置台上に載置し、当該拡散透過板の読取線位置に読取線位置マークをマーキング手段で付与して、照明手段から照明光の照射されている拡散透過板を当該拡散透過板の上方から撮影手段で撮影するとともに、画像読取装置の撮像手段の撮像した原稿載置台上の拡散透過板とマーキング手段の付与した読取線位置マークの撮像画像を画像入力手段で取得し、当該取得した拡散透過板と読取線位置マークの撮像画像に基づいて読取線位置を決定して、当該決定した読取線位置の撮影画像と画像信号強度分布に対応する基準読値照度テーブルに基づいて当該撮影画像の照度分布を算出することにより、１回の操作で、かつ、より短時間で、原稿面照度分布と読取線位置を取得し、効率的にかつ高精度に照度分布を計測することのできる照度分布計測方法を提供することを目的としている。
【００２５】
請求項１２記載の発明は、撮影手段の光学的な収差を補正するための収差補正データに基づいて撮影画像を補正し、当該収差補正した撮影画像に基づいて照度分布を算出することにより、撮影手段の光学的な収差の影響をなくして、より高精度に照度分布を計測することのできる照度分布計測方法を提供することを目的としている。
【００２６】
請求項１３記載の発明は、計測対象の画像読取装置が画像読取開始時に出力する制御信号を取り込んで、撮影手段の撮影タイミングを決定することにより、画像読取装置が線順次読み取り動作での任意位置の照度分布を計測できるようにし、より実際の画像読取動作における照度分布を計測して、より一層高精度に照度分布を計測することのできる照度分布計測方法を提供することを目的としている。
【００２７】
請求項１４記載の発明は、画像読取装置の制御信号に基づいて撮影手段の撮影時間を当該画像読取装置の画像読取時間に比例した時間に決定することにより、画像読取装置の撮像手段での蓄積時間（画像読取時間）に相当する光量の照度分布を簡便に取得できるようにし、より簡単かつ高精度に照度分布を計測することのできる照度分布計測方法を提供することを目的としている。
【００２８】
【課題を解決するための手段】
請求項１記載の発明の照度分布計測装置は、原稿載置台上に載置された原稿に当該原稿載置台の下方から照明手段で照明光を読取線位置に照射して前記原稿からの反射光を撮像手段に入射して当該原稿の画像を読み取る画像読取装置の前記照明手段による前記原稿載置台への前記照明光の照度分布を計測する照度分布計測装置において、前記原稿載置台上に載置され前記照明手段からの前記照明光を拡散透過する拡散透過板と、当該拡散透過板の読取線位置に読取線位置マークを付与するマーキング手段と、前記照明手段から前記照明光の照射されている前記拡散透過板を当該拡散透過板の上方から撮影する撮影手段と、前記撮影手段の撮影した撮影画像を取り込んで記憶する画像記憶手段と、前記画像読取装置の前記撮像手段の撮像した前記原稿載置台上の前記拡散透過板と前記マーキング手段の付与した前記読取線位置マークの撮像画像を取得する画像入力手段と、画像信号強度分布に対応する基準読値照度テーブルを記録するデータ記録手段と、前記画像入力手段の取得した前記拡散透過板と前記読取線位置マークの撮像画像に基づいて読取線位置を決定して、当該決定した読取線位置の前記画像記憶手段の前記撮影画像と前記データ記憶手段の前記基準読値照度テーブルに基づいて当該撮影画像の照度分布を算出する照度計測手段と、を備えていることにより、上記目的を達成している。
【００２９】
上記構成によれば、原稿載置台上に載置された原稿に当該原稿載置台の下方から照明手段で照明光を読取線位置に照射して原稿からの反射光を撮像手段に入射して当該原稿の画像を読み取る画像読取装置の照明手段による原稿載置台への照明光の照度分布を計測するに際して、照明手段からの照明光を拡散透過する拡散透過板を原稿載置台上に載置し、当該拡散透過板の読取線位置に読取線位置マークをマーキング手段で付与して、照明手段から照明光の照射されている拡散透過板を当該拡散透過板の上方から撮影手段で撮影するとともに、画像読取装置の撮像手段の撮像した原稿載置台上の拡散透過板とマーキング手段の付与した読取線位置マークの撮像画像を画像入力手段で取得し、当該取得した拡散透過板と読取線位置マークの撮像画像に基づいて読取線位置を決定して、当該決定した読取線位置の撮影画像と画像信号強度分布に対応する基準読値照度テーブルに基づいて当該撮影画像の照度分布を算出するので、１回の操作で、かつ、より短時間で、原稿面照度分布と読取線位置を取得することができ、効率的にかつ高精度に照度分布を計測することができる。
【００３０】
この場合、例えば、請求項２に記載するように、前記照度分布計測装置は、前記撮影手段の光学的な収差を補正するための収差補正データを記憶する収差補正データ記憶手段と、当該収差補正データ記憶手段の収差補正データに基づいて前記撮影画像を補正する収差補正手段と、をさらに備え、前記照度計測手段が、当該収差補正手段で補正された撮影画像に基づいて前記照度分布を算出するものであってもよい。
【００３１】
上記構成によれば、撮影手段の光学的な収差を補正するための収差補正データに基づいて撮影画像を補正し、当該補正された撮影画像に基づいて照度分布を算出するので、撮影手段の光学的な収差の影響をなくすことができ、より高精度に照度分布を計測することができる。
【００３２】
また、例えば、請求項３に記載するように、前記拡散透過板は、表面反射を防止する減反射構造を備えているものであってもよい。
【００３３】
上記構成によれば、拡散透過板を、表面反射を防止する減反射構造を備えたものとしているので、照明光が表面反射によって再度画像読取装置内に戻ってフレア現象を引き起こすことを防止することができ、より一層高精度に照度分布を計測することができる。
【００３４】
さらに、例えば、請求項４に記載するように、前記拡散透過板は、光を吸収するフィルタ構造を備えているものであってもよい。
【００３５】
上記構成によれば、拡散透過板を、光を吸収するフィルタ構造を備えたものとしているので、照明光が表面反射によって再度画像読取装置内に戻ってフレア現象を引き起こすことを防止することができ、より一層高精度に照度分布を計測することができる。
【００３６】
また、例えば、請求項５に記載するように、前記マーキング手段は、発光手段を備え、当該発光手段が発光することで前記読取線位置マークを前記拡散透過板の読取線位置に付与するものであってもよい。
【００３７】
上記構成によれば、マーキング手段を、発光手段を備え、当該発光手段が発光することで読取線位置マークを拡散透過板の読取線位置に付与するものとしているので、画像読取装置の撮像画像から読取線位置をより簡単かつ適切に検出することができ、より一層高精度に照度分布を計測することができる。
【００３８】
さらに、例えば、請求項６に記載するように、前記照度分布計測装置は、前記拡散透過板及び前記マーキング手段の近傍に、副走査方向の寸法を明示する基準パターンが配設されているものであってもよい。
【００３９】
上記構成によれば、拡散透過板及びマーキング手段の近傍に、副走査方向の寸法を明示する基準パターンを配設しているので、撮影画像と撮像画像に基準パターンを含ませて、撮像画像上の読取線位置情報を、撮影画像への読取線位置情報に補正して、精度よく読取線位置を決定することができ、より一層高精度に照度分布を計測することができる。
【００４０】
また、例えば、請求項７に記載するように、前記照度分布計測装置は、前記撮影手段の撮影時間と前記マーキング手段の前記発光手段の発光時間を略同一にするものであってもよい。
【００４１】
上記構成によれば、撮影手段の撮影時間とマーキング手段の発光手段の発光時間を略同一にしているので、読取線位置を副走査方向の１画素の精度で正確かつ高速に検出することができ、より一層高精度に照度分布を計測することができる。
【００４２】
さらに、例えば、請求項８に記載するように、前記照度分布計測装置は、前記画像読取装置が画像読取開始時に出力する制御信号を取り込んで前記撮影手段の撮影タイミングを決定する撮影タイミング決定手段を備えているものであってもよい。
【００４３】
上記構成によれば、画像読取装置が画像読取開始時に出力する制御信号を取り込んで撮影手段の撮影タイミングを決定するので、画像読取装置が線順次読み取り動作での任意位置の照度分布を計測することができ、より実際の画像読取動作における照度分布を計測して、より一層高精度に照度分布を計測することができる。
【００４４】
また、例えば、請求項９に記載するように、前記撮影タイミング決定手段は、前記画像読取装置の前記制御信号に基づいて、前記撮影手段の撮影時間を当該画像読取装置の画像読取時間に比例した時間に決定するものであってもよい。
【００４５】
上記構成によれば、画像読取装置の制御信号に基づいて、撮影手段の撮影時間を当該画像読取装置の画像読取時間に比例した時間に決定するので、画像読取装置の撮像手段での蓄積時間（画像読取時間）に相当する光量の照度分布を簡便に取得することができ、より簡単かつ高精度に照度分布を計測することができる。
【００４６】
さらに、例えば、請求項１０に記載するように、前記照度計測手段は、前記撮影タイミング決定手段の決定した前記画像読取装置の前記撮像手段による撮像時間と前記撮影手段による撮影時間との比に応じて、前記画像記憶手段の前記撮影画像の信号強度レベルを補正し、当該補正後の信号強度レベルの前記撮影画像に基づいて前記照度分布を算出するものであってもよい。
【００４７】
上記構成によれば、決定した画像読取装置の撮像手段による撮像時間と撮影手段による撮影時間との比に応じて、撮影画像の信号強度レベルを補正し、当該補正後の信号強度レベルの撮影画像に基づいて照度分布を算出するので、撮影時間を短くして、照明光が撮影手段の受光レンジの範囲を超えて画像データの値が飽和してしまうことを回避しつつ、常に所定時間当たりの照度値を取得することができ、より一層高精度に照度分布を計測することができる。
【００４８】
請求項１１記載の発明の照度分布計測方法は、原稿載置台上に載置された原稿に当該原稿載置台の下方から照明手段で照明光を読取線位置に照射して前記原稿からの反射光を撮像手段に入射して当該原稿の画像を読み取る画像読取装置の前記照明手段による前記原稿載置台への前記照明光の照度分布を計測する照度分布計測方法において、前記照明手段からの前記照明光を拡散透過する拡散透過板を前記原稿載置台上に載置し、当該拡散透過板の読取線位置に読取線位置マークをマーキング手段で付与して、前記照明手段から前記照明光の照射されている前記拡散透過板を当該拡散透過板の上方から撮影手段で撮影するとともに、前記画像読取装置の前記撮像手段の撮像した前記原稿載置台上の前記拡散透過板と前記マーキング手段の付与した読取線位置マークの撮像画像を画像入力手段で取得し、当該取得した拡散透過板と読取線位置マークの撮像画像に基づいて読取線位置を決定し、当該決定した読取線位置の前記撮影画像と画像信号強度分布に対応する基準読値照度テーブルに基づいて当該撮影画像の照度分布を算出することにより、上記目的を達成している。
【００４９】
上記構成によれば、原稿載置台上に載置された原稿に当該原稿載置台の下方から照明手段で照明光を読取線位置に照射して原稿からの反射光を撮像手段に入射して当該原稿の画像を読み取る画像読取装置の照明手段による原稿載置台への照明光の照度分布を計測するに際して、照明手段からの照明光を拡散透過する拡散透過板を原稿載置台上に載置し、当該拡散透過板の読取線位置に読取線位置マークをマーキング手段で付与して、照明手段から照明光の照射されている拡散透過板を当該拡散透過板の上方から撮影手段で撮影するとともに、画像読取装置の撮像手段の撮像した原稿載置台上の拡散透過板とマーキング手段の付与した読取線位置マークの撮像画像を画像入力手段で取得し、当該取得した拡散透過板と読取線位置マークの撮像画像に基づいて読取線位置を決定して、当該決定した読取線位置の撮影画像と画像信号強度分布に対応する基準読値照度テーブルに基づいて当該撮影画像の照度分布を算出しているので、１回の操作で、かつ、より短時間で、原稿面照度分布と読取線位置を取得することができ、効率的にかつ高精度に照度分布を計測することができる。
【００５０】
この場合、例えば、請求項１２に記載するように、前記照度分布計測方法は、前記撮影手段の光学的な収差を補正するための収差補正データに基づいて前記撮影画像を補正し、当該収差補正した撮影画像に基づいて前記照度分布を算出してもよい。
【００５１】
上記構成によれば、撮影手段の光学的な収差を補正するための収差補正データに基づいて撮影画像を補正し、当該収差補正した撮影画像に基づいて照度分布を算出しているので、撮影手段の光学的な収差の影響をなくすことができ、より高精度に照度分布を計測することができる。
【００５２】
また、例えば、請求項１３に記載するように、前記照度分布計測方法は、前記計測対象の画像読取装置が画像読取開始時に出力する制御信号を取り込んで、前記撮影手段の撮影タイミングを決定してもよい。
【００５３】
上記構成によれば、計測対象の画像読取装置が画像読取開始時に出力する制御信号を取り込んで、撮影手段の撮影タイミングを決定するので、画像読取装置が線順次読み取り動作での任意位置の照度分布を計測することができ、より実際の画像読取動作における照度分布を計測して、より一層高精度に照度分布を計測することができる。
【００５４】
さらに、例えば、請求項１４に記載するように、前記照度分布計測方法は、前記画像読取装置の前記制御信号に基づいて前記撮影手段の撮影時間を当該画像読取装置の画像読取時間に比例した時間に決定してもよい。
【００５５】
上記構成によれば、画像読取装置の制御信号に基づいて撮影手段の撮影時間を当該画像読取装置の画像読取時間に比例した時間に決定しているので、画像読取装置の撮像手段での蓄積時間（画像読取時間）に相当する光量の照度分布を簡便に取得することができ、より簡単かつ高精度に照度分布を計測することができる。
【００５６】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００５７】
図１〜図２６は、本発明の照度分布計測装置及び照度分布計測方法の第１の実施の形態を示す図であり、図１は、本発明の照度分布計測装置及び照度分布計測方法の第１の実施の形態を適用した照度分布計測システム１のシステム構成図である。
【００５８】
図１において、照度分布計測システム１は、計測対象の画像読取装置１００、画像読取装置１００の原稿載置面１０１上に設置される拡散透過板１０、拡散透過板で拡散される画像読取装置１００の照射光を撮影する撮影装置２０、撮影装置２０からの信号に基づいて照度分布を計測する照度計測装置３０及び照度計測装置３０からの信号に基づいて画像読取装置１００の動作を制御する画像入力装置４０等を備えている。
【００５９】
画像読取装置１００は、図２及び図３に示すように、本体筐体１０２の上面部に、コンタクトガラス１０３が配置されており、このコンタクトガラス１０３の上面が上記原稿載置面１０１となっている。
【００６０】
画像読取装置１００は、その本体筐体１０２内に、第１走行体１０４、第２走行体１０５、撮像部１０６及び駆動伝達部１０７等が配設されており、本体筐体１０２の側面に、操作表示部１０８及びモータ１０９等が配設されている。
【００６１】
操作表示部１０８は、画像読取装置１００に読取動作を行わせるのに必要な各種操作を行うのに使用され、例えば、変倍、紙サイズ指定及び読取操作の各種操作が行われる。
【００６２】
第１走行体１０４は、照明手段としてのランプ１１０、リフレクター１１１及び折り返しミラー１１２を搭載しており、ランプ１１０とリフレクター１１１は、全体として照明部１１３として機能している。第１走行体１０４のランプ１１０及びリフレクター１１１は、読取時、コンタクトガラス１０３を通して、コンタクトガラス１０３上に載置される原稿１３０の読取面（コンタクトガラス１０３側の面）に照射光１１４を照射し、折り返しミラー１１２は、原稿１３０の読取面で反射された反射光を第２走行体１０５方向に反射する。
【００６３】
第２走行体１０５は、２枚の折り返しミラー１１４、１１５を搭載しており、この２枚の折り返しミラー１１４、１１５で第１走行体１０４の折り返しミラー１１２から入射される光を撮像部１０６方向に反射する。
【００６４】
撮像部（撮像手段）１０６は、レンズ１１６と撮像素子１１７を備えており、本体筐体１０２に固定されている。撮像部１０６は、第２走行体１０５の折り返しミラー１１５から入射される光をレンズ１１６で、例えば、ラインＣＣＤ（Ｃｈａｒｇｅ　Ｃｏｕｐｌｅｄ　Ｄｅｖｉｃｅ　）等の撮像素子１１７に集光して、撮像素子１１７で入射光を画像信号に光電変換する。
【００６５】
駆動伝達部１０７は、１対のワイヤプーリ１１８、１１９、タイミングベルト１２０及びワイヤ１２１等を備えており、タイミングベルト１２０は、モータ１０９の回転を駆動側のワイヤプーリ１１８に伝達する。ワイヤプーリ１１８とワイヤプーリ１１９に、ワイヤ１２１が張り渡されており、ワイヤ１２１には、上記第１走行体１０４と第２走行体１０５が連結されている。したがって、駆動伝達部１０７は、タイミングベルト１１９がモータ１０９の回転をワイヤプーリ１１８に伝達して、ワイヤプーリ１１８が回転することで、ワイヤプーリ１１８とワイヤプーリ１１９に張り渡されるとともに第１走行体１０４と第２走行体１０５の連結されているワイヤ１２１を副走査方向に移動させて、第１走行体１０４と第２走行体１０５を、図３に両矢印で示すように、副走査方向に移動させる。
【００６６】
そして、画像読取装置１００は、原稿１３０の読取時、モータ１０９の回転を制御することにより、第１走行体１０４と第２走行体１０５を副走査方向に移動させつつ、主走査して、原稿の画像を読み取る。
【００６７】
すなわち、画像読取装置１００は、コンタクトガラス１０３上に原稿１３０が載置されて、操作表示部１０８で倍率等が指定操作された後、読取開始ボタンが押されると、原稿１３０を照明する光源であるランプ１１０が照明光１２２を撮像領域１２３に照射する。画像読取装置１００は、モータ１０９を回転駆動させて、タイミングベルト１１９を介してワイヤプーリ１１８を回転させ、ワイヤプーリ１１８とワイヤプーリ１１９に張り渡されたワイヤ１２１を回転させる。ワイヤ１２１が回転することで、ワイヤ１２１に連結されている第１走行体１０４及び第２走行体１０５が副走査方向に移動する。このとき、第１走行体１０４と第２走行体１０５は、第２走行体１０５が第１走行体１０４の１／２の速度で従動する。
【００６８】
そして、画像読取装置１００は、第１走行体１０４と第２走行体１０５がモータ１０９の駆動により副走査方向に走行を開始してコンタクトガラス１０３上に載置された原稿１３０を第１走行体１０４のランプ１１０とリフレクター１１１により照射し、その反射光を折り返しミラー１１２及び第２走行体１０５の折り返しミラー１１４、１１５で反射してレンズ１１６により撮像素子１１７に結像して、撮像素子１１７が主走査方向に入射光を光電変換して、原稿１３０の画像を読み取る。
【００６９】
このとき、ランプ１１０から発射された照明光１２２がリフレクター１１１でを反射して、原稿１３０上の撮像領域１２３に照射され、その部分の画像情報を持った光が撮像素子１１７に結像する。
【００７０】
上記拡散透過板１０は、照度分布の計測対象であり、画像読取装置１００のコンタクトガラス１０３上に設置される。拡散透過板１０は、図４〜図６に示すように、例えば、白ポリエステルフィルム１１と濃度１のＮＤフィルタ１２が積層されており、その主走査方向両端部に、目盛板１３が取り付けられており、さらに、その一方側の端部であって目盛板１３よりも内側に、スリット１４が形成されているとともに、スリット１４の上部にＬＥＤ（Ｌｉｇｈｔ　Ｅｍｉｔｔｉｎｇ　Ｄｉｏｄｅ）１５が取り付けられている。目盛板１３には、その上面に目盛１３ａが付与されている。
【００７１】
拡散透過板１０は、照度分布の計測時にランプ１１０から照射される照明光１２２からの光を拡散透過して拡散光を透過する。
【００７２】
ＬＥＤ１５は、照度分布の計測の瞬間に照度計測装置３０からの点灯信号により点灯駆動され、ＬＥＤ１５から出射された光は、スリット１４を通過して拡散透過板１０の下方、すなわち、コンタクトガラス１０３側に出射されて、拡散透過板１０の下面にＬＥＤ１５の発光色、例えば、赤色のラインを読取線として付与する。したがって、ＬＥＤ１５及びスリット１４は、全体としてマーキング手段として機能している。
【００７３】
拡散透過板１０は、上述のように、ランプ１１０からの照射光１２２を拡散光にするためのもので、上述のように、例えば、拡散光用白練込みのポリエステルフィルム１１とＮＤ（ＮＤ：ニュートラルデンシティー）フィルム１２を積層したものを用いることができるが、これらに限るものではなく、例えば、紙、すりガラス、オパールガラス、白練込みポリエステルフィルム、ＮＤフィルタ等やその組合せ（減反射コーティング含む）を用いてもよい。
【００７４】
また、拡散透過板１０は、図７に示すように、拡散透過面を形成する材料として、摺りガラス１６や乳剤を塗布したオパールガラス等を用いた場合、その表面に減反射構造としての減反射コーティング１７を施してもよく、また、つや消し剤を塗布してもよい。
【００７５】
すなわち、拡散透過板１０として、白いポリエステルフィルム等の材料を用いた場合、照明光１２２に対して大量の表面反射光が発生し、画像読取装置１００にフレア現象を発生させるため、フレア成分を含まない正確な照度分布計測が困難になるが、図７に示すような摺りガラス１４の表面に減反射構造としての減反射コーティング１５を施してたり、つや消し剤を塗布すると、照明光１２２に対して表面反射を防ぐことができ、照明光１２２が表面反射して再度画像読取装置１２２内に戻ることを防止して、フレア現象の発生を防止することができる。
【００７６】
さらに、拡散透過板１０は、図８に示すように、拡散透過面を形成する材料として、摺りガラスや乳剤を塗布したオパールガラス１８等を用い、照明光１２２が入射する側に光吸収フィルタ構造として、例えば、ＮＤフィルタ１２等を用いてもよい。
【００７７】
すなわち、例えば、図８に示したように、拡散透過面を形成する材料として、オパールガラス１６を用いる場合、照明光１２２が入射する側に光吸収フィルタであるＮＤフィルタ１２を配置すると、最初に照明光１２２を減光してから拡散透過面で拡散光が形成され、拡散透過面を表面反射した照明光成分がさらに光吸収フィルタによって減衰させられるため、画像読取装置１００内に戻る光量を低減させて、フレア現象の発生を防止することができる。
【００７８】
上記スリット１４とＬＥＤ１５は、上述のように、読取線を付与するマーキング手段として機能しており、発光手段としては、ＬＥＤ１５に限るものではなく、例えば、豆電球、蛍光灯等であってもよい。
【００７９】
マーキング手段であるスリット１４とＬＥＤ１５は、拡散透過板１０上にスキャナ照明である照明光１２２がきたときに、照度計測装置３０からの点灯信号により、ＬＥＤ１５が発光するとともに、このＬＥＤ１５の発光光を画像読取装置１００が、第１走行体１０４の折り返しミラー１１２及び第２走行体１０５の折り返しミラー１１４、１１５で反射してレンズ１１６を通して撮像素子１１７で読み取り、読取画像を画像入力装置４０に出力する。
【００８０】
このＬＥＤ１５の発光する発光光は、例えば、赤色の発光色であり、画像入力装置４０に発光光である赤い画素を発生して、副走査方向に発生した発光光である赤い画素部分の先頭が検出した読取線となる。この読取線情報と後述する基準パターンである目盛１３ａの黒い目盛部分の画像の基準位置から読取線位置が算出される。なお、ＬＥＤ１５を実際に発光させる点灯時間は、撮影装置２０への影響を考えて、十分短くする。
【００８１】
上記目盛板１３は、硬質素材（金属、プラスティックなど）で形成され、その上面に基準パターンとして目盛１３ａが刻まれている。この目盛１３ａは、塗料で塗られて形成されていてもよいし、目盛板１３として、所定の素材のフィルムまたは拡散透過板１０自体に目盛１３ａが形成されていてもよい。さらに、目盛板１３と目盛１３ａとは、例えば、白地に黒の目盛１３ａが刻まれていてもよいし、黒地に白の目盛１３ａが刻まれていてもよく、さらに、図９に示すように、一定ピッチのスリット１３ｂで目盛が形成されていてもよい。目盛１３ａの間隔としては、既知のピッチで形成されているものであれば、何でもよい。また、目盛板１３は、拡散透過板１０の両端部に配設されているものに限るものではなく、例えば、図１０に示すように、計測したい位置に任意に配置されていてもよく、また、その数も、２つに限るものではない。
【００８２】
このように、目盛１３ａの形成された目盛板１３を拡散透過板１０の両端部等のように、拡散透過板１０とスリット１４及びＬＥＤ１５の近傍に配設することで、読取線を正確に決定することができる。
【００８３】
すなわち、目盛１３ａの形成された目盛板１３を拡散透過板１０の両端部に配設すると、撮影装置２０により拡散透過板１０とともに照度計測装置３０に後述する照度分布画像が読み込まれ、画像入力装置４０から読取線位置情報が送信または手作業で入力されると、画像読取装置１００の読み取ったスキャナ画像である読取画像と撮影装置２０の撮影した撮影画像間の補正計算を行って、検出した読取線を表示して、読取線を正確に設定することができる。例えば、画像読取装置１００が６００ＤＰＩの画像解像度であれば、１画素が４２．３μｍ、１ｍｍは２３．６画素となる。また、レンズが５０ｍｍの撮像装置２０であるとき、例えば、１ｍｍ毎の基準パターン（目盛１３ａ）から１ｍｍは１２画素であるとすると、画像読取装置１００の読取画像の画素ピッチは、撮影装置２０の約１／２倍であるので、読取画像で基準位置から読取線位置が４２画素とすると、撮影装置２０の撮影画像上では、基準位置から２１画素目が読取線となる。
【００８４】
再び、図１において、上記撮影装置（撮影手段）２０は、スタンド２１に取り付けられて、画像読取装置１００のコンタクトガラス１０３上、特に、拡散透過板１０の真上に配置されており、拡散透過板１０の２次元照度分布画像（特に、撮像領域（読取線）の２次元照度分布画像）を撮影するもので、ＣＣＤカメラ２２とレンズ２３等で構成、具体的には、デジタルカメラであるモノクロ２次元ＣＣＤカメラやフルカラー３ＣＣＤカメラ等が用いられている。
【００８５】
撮像装置２０は、照度計測装置３０に取り付けられている入出力制御部３１に接続されており、上記撮影した撮影画像データを、例えば、ＵＳＢ、ＩＥＥＥ１３９４、ＳＣＳＩ、ＬＶＤＳ等の信号形式で、照度計測装置３０の入出力制御部３１に出力する。
【００８６】
照度計測装置（照度計測手段）３０は、例えば、ＬＡＮ、ＰＣＩバスを備えたパーソナルコンピュータ等が用いられており、本体３２、ディスプレイ３３及びキーボード３４等を備えているとともに、上記入出力制御部３１を備えている。この入出力制御部３１は、入出力制御部３１を介して撮影装置２０に制御信号を出力して、画像読取装置１００のランプ１１０が点灯された状態で拡散透過板１０に照射された照明光１２２による照度分布を撮影装置２０に撮影させるとともに、照度計測装置３０からの上記点灯信号を、例えば、ＰＩＯ、ＵＳＢ、ＩＥＥＥ１３９４等の信号形式で、ＬＥＤ１５に出力して、ＬＥＤ１５の点灯駆動を制御し、また、撮影装置２０から送信されてくる撮影画像データを照度計測装置３０に渡す。
【００８７】
上記画像入力装置（画像入力手段）４０は、例えば、ＬＡＮ、ＰＣＩバスを備えたパーソナルコンピュータ等が用いられており、本体４１、ディスプレイ４２及びキーボード４３等を備えているとともに、入出力制御部４４を備えている。また、上記照度計測装置３０と画像入力装置４０とは、ハブ（ＨＵＢ）５０を介してＬＡＮ接続されている。
【００８８】
画像入力装置４０は、入力制御部４４を介して、画像読取装置１００の読み取った読取線画像の読取画像データを、例えば、ＵＳＢ、ＩＥＥＥ１３９４、ＳＣＳＩ、ＬＶＤＳ等の信号形式で取得し、この読取画像データから読取線の計測結果を算出して、ディスプレイ４２に表示するとともに、ハブ５０でＬＡＮ接続された照度計測装置３０に出力する。
【００８９】
そして、上記照度計測装置３０と画像入力装置４０は、図１１に示すように、回路ブロック構成されており、それぞれ制御部３０１、４０１、画像信号入力部３０２、４０２、演算部３０３、４０３、操作・表示部３０４、４０４、通信部３０５、４０５、画像記憶部３０６、４０６及びデータ記憶部３０７、４０７等を備えている。
【００９０】
画像入力装置４０は、画像読取装置１００から入力制御部４４が取得した読取画像データを入力制御部４４から取り込み、画像記憶部４０６は、この画像信号入力部４０２の取り込んだ読取画像データを記憶する。演算部４０３は、制御部４０１の制御下で、画像記憶部４０６の読取画像データから読取線の算出等を行い、データ記憶部４０７は、この演算部４０３の算出した読取線データである読取線位置のデータ等を記憶する。操作・表示部４０４は、上記ディスプレイ３３、キーボード３４及び図示しないマウス等を総称したものであり、ディスプレイ３３は、制御部４０１の制御下で、特に、読取画像や読取線画像を表示する。通信部４０５は、上記ハブ５０を介して照度計測装置３０とＬＡＮ接続されており、制御部４０１の制御下で、読取線情報等を照度計測装置３０に送信する。制御部４０１は、各部の動作を制御し、特に、読取画像データの入力制御処理、読取線算出の演算制御処理、読取線情報の送信制御処理等を行う。
【００９１】
照度計測装置３０の信号入出力部３０２は、入出力制御部３１を介して撮影装置２０から撮影画像データの取り込みを行い、また、入出力制御部３１を介してＬＥＤ１５の点灯出力等を行い、画像記憶部（画像記憶手段）３０６は、信号入出力部３０２の取り込んだ撮影画像データを記憶する。通信部３０５は、ハブ５０を介して画像入力装置４０とＬＡＮ接続されており、制御部４０１の制御下で、読取線情報等を取得する。データ記憶部（データ記憶手段）３０７は、基準読値照度テーブル及び読取線位置等のデータを記憶し、演算部３０３は、制御部３０１の制御下で、画像記憶部３０６の撮影画像データの画像の切出しを行った後、データ記憶部３０７の基準読値照度テーブルに基づいた照度計算等を行う。操作・表示部３０４は、上記ディスプレイ４２、キーボード４３及び図示しないマウス等を総称したものであり、ディスプレイ４２は、制御部３０１の制御下で、特に、計測開始、照度分布や読取線の結果の表示を行う。制御部３０１は、各部の動作を制御し、特に、画像入力制御処理、演算制御処理等を行う。
【００９２】
上記照度計測装置３０のデータ記憶部３０７に格納されている基準読値照度テーブルは、例えば、図１２に示すように、画像の読値と照度の関係を数値化したものであり、例えば、図１３に示すように、ハロゲン光源でかつ光が均一になるような標準光源６１を用いて、拡散透過板１０として濃度１のＮＤフィルタ１２を設置して、照度計６２で照度計測し、光源強度を変えることにより、撮影装置２０のＣＣＤカメラ２２で読み取った画像の読値と照度の関係を数値化したものである。この基準読値照度テーブルでは、ＣＣＤカメラ２２の暗時出力特性（真っ暗でも読み値が０にならない）も同時に補正可能なテーブルとなっている。
【００９３】
次に、本実施の形態の作用を説明する。本実施の形態の照度分布計測システム１は、画像読取装置１００の正確な読取線位置を検出して、簡単かつ正確に照度分布を計測する。
【００９４】
まず、計測対象である原稿面の照度分布と画像読取装置１００における画像品質の関係について説明する。
【００９５】
画像読取装置１００は、第１走行体１０４と第２走行体１０５がモータ１０９の駆動により副走査方向に走行を開始してコンタクトガラス１０３上に載置された原稿１３０を第１走行体１０４のランプ１１０とリフレクター１１１により照射し、その反射光を折り返しミラー１１２及び第２走行体１０５の折り返しミラー１１４、１１５で反射してレンズ１１６により撮像素子１１７に結像して、撮像素子１１７が主走査方向に入射光を光電変換して、原稿１３０の画像を読み取る。
【００９６】
このとき、ランプ１１０から発射された照明光１２２がリフレクター１１１でを反射して、原稿１３０上の撮像領域１２３に照射され、その部分の画像情報を持った光が撮像素子１１７に結像する。
【００９７】
そして、ランプ１１０から発射された照明光１２２が原稿１３０に照射された光の量を原稿面照度と呼び、その分布を原稿面照度分布という。原稿面照度分布は、図１４（ａ）（ｂ）に示すように、基本的には１次元撮像素子１１７が読みとる方向（主走査）に均一で、走行体１０４、１０５の走査する方向（副走査）に正規分布している。
【００９８】
画像読取装置１００は、図１４（ａ）に示すように、撮像素子１１７が１度に読み取る撮像領域（読取線）２０１は１ラインであり、例えば、その解像度が６００ｄｐｉであると、幅は４２．３μｍである。ただし、走行体１０４、１０５等の走行状態により原稿画像全域における読取線位置が一定でない場合もあり、その幅を見越した上で、安定した照度分布の確保を行うことが、画像読取装置１００の製品性能上重要である。すなわち、安定した照度分布を得ることができず、読取線位置が、図１４（ａ）に変動撮像領域２０２として示すように変動すると、例えば、均一濃度の原稿１３０を読み取っても、図１４（ｂ）に示すように、読取画像信号が不均一になってしまう等の不具合を生じる。また、画像読取装置１００は、ランプ１１０等においては、省電力化を図るために、できるだけ低い輝度のランプを搭載することが望まれているため、原稿面での高い集光率を達成することのできる光学系設計が重要である。
【００９９】
そして、画像読取装置１００においては、照度分布の計測精度に影響する画像読取装置特有の特性であるフレア現象がある。フレア現象とは、図１５に示すように、ランプ１１０から発射された照明光１２２のうち、原稿１３０上の撮像領域（読取線）１２３ではない領域に照射された光（以下、フレア光）２０３が原稿１３０上で反射し、さらに画像読取装置１００を構成する部品、例えば、リフレクター１１１で反射して、撮像領域１２３を照射する現象である。
【０１００】
このフレア現象が発生すると、撮像領域１２３に照射する照明光１２２がその撮像領域１２３周辺の原稿１３０の画像濃度によって増減することとなり、読取信号レベルが変化するという現象が発生する。
【０１０１】
そこで、本実施の形態の照度分布計測システム１は、このフレア成分を含まない正確な照度分布計測を適切かつ効率的に行う。
【０１０２】
すなわち、照度分布計測システム１は、計測対象である画像読取装置１００の原稿１３０の載置面であるコンタクトガラス１０３上に拡散透過板１０を配置し、この拡散透過板１０に画像読取装置１００のランプ１１０からの照明光１２２を照射させる。拡散透過板１０は、図１６に示すように、ランプ１１０から発射された照明光１２２が拡散透過板１０の撮像領域１２３に照射されると、当該照明光１２２を拡散光２０４として透過させる。
【０１０３】
このとき、拡散透過板１０は、画像読取装置１００のランプ１１０からの照明光１２２が拡散透過面に到達すると、その点を起点に拡散光を形成し、複数の照明光１２２が拡散透過面に到達して各点で拡散光を形成することで、原稿面に相当する拡散透過面に照明光１２２による照度分布を形成することができる。
【０１０４】
照度分布計測システム１は、拡散透過板１０により拡散光２０４となった撮像領域１２３の画像を撮影装置２０で撮影して、照度計測装置３０に出力する。
【０１０５】
具体的には、照度分布計測システム１は、画像読取装置１００の照明を点灯した状態で、照度計測装置３０から入出力制御部３１を介して、制御信号をＬＥＤ１５及び撮影装置２０に送信し、発光器である赤いＬＥＤ１５を点灯させるとともに、同時に、撮影装置２０が、拡散透過板１０に照射された照明光１２２による照度分布を撮影するように制御する。また、同時に、画像読取装置１００が、図１７に示すように、赤いＬＥＤ１５が点灯して赤くなった画素を含む画像を読み取り、画像入力装置４０が、この画像読取装置１００の読取画像を入力制御部４４を介して取得する。
【０１０６】
画像入力装置４０は、入力制御部４を介して画像読取装置１００から取得した読取画像データを画像記憶部４０６に一旦格納して、画像記録部４０６に格納した読取画像を、例えば、操作・表示部４０４のディスプレイ３３に表示し、赤くなった画素部分の画像を拡大して、目視で読取線位置を確認することができるようにする。この場合、副走査方向の最初の赤い画素が読取線位置である。画像入力装置４０は、演算部４０３が上記読取画像データから読取線位置を算出した読取線情報、または、ディスプレイ３３への表示を目視してキーボード４３やマウス等から入力された読取線情報をデータ記録部４０７に格納し、制御部４０１が通信部４０５を介して照度計測装置３０に送信する。
【０１０７】
一方、照度計測装置３０は、入出力制御部３１を介して撮影装置２０から撮影画像の画像データを取り込んで画像記憶部３０６に格納し、また、入出力制御部３１を介してＬＥＤ１５の点灯出力等を行い、演算部３０３で、画像記憶部３０６の撮影画像データの画像の切出しを行った後、データ記憶部３０７から基準読値照度テーブルを読み出して、切り出した撮影画像データの読値に対応する照度を基準読値照度テーブルから算出して拡散透過板１０上の照度分布を算出する。
【０１０８】
また、照度計測装置３０は、通信部３０５で画像入力装置４０からの読取線情報を受信し、データ記憶部３０７へ格納する。照度計測装置３０は、上記照度分布と読取線を操作・表示部３０４に表示する。この照度分布は、例えば、図１８に示すように、立体状に表示してもよいし、図１９に示すように、等高線状に表示してもよい。
【０１０９】
照度分布計測システム１の上記処理を、図２０に示すフローチャートに基づいて、さらに詳細に説明すると、照度分布計測システム１は、図２０に示すように、拡散透過板１０が計測対象の画像読取装置１００のコンタクトガラス１０３上に設置されると（ステップＳ１０１）、画像読取装置１００の照明であるランプ１１０を点灯させて操作を開始する（ステップＳ１０２）。
【０１１０】
画像読取装置１００の走査が開始すると、照度計測装置３０が、拡散透過板１０の発光器であるＬＥＤ１５を発光させると同時に、撮影装置２０を制御して拡散透過板１０の上面（拡散透過板面）を撮影させ（ステップＳ１０３）、撮影装置２０の撮影した撮影画像を入出力制御部３１を介して取り込んで（ステップＳ１０４）、取り込んだ撮影画像を画像記憶部３０６に記憶する（ステップＳ１０５）。この撮影画像は、例えば、図２１に示すように、拡散透過板１０とともに、例えば、黒の目盛１３ａの付与された目盛板１３とＬＥＤ１５が撮影されている。なお、図２１には、後述する読取線位置、検出した読取線及び基準位置も示されている。
【０１１１】
照度計測装置３０は、制御部３０１の制御下で、画像記憶部３０６から撮影画像データを取り出して、演算部３０３が、撮影画像データの画像の切出しを行い（ステップＳ１０６）、データ記憶部３０７から基準読値照度テーブルを読み出す（ステップＳ１０７）。
【０１１２】
一方、画像読取装置１００の走査が開始すると、画像読取装置１００が、拡散透過板１０の発光器であるＬＥＤ１５の発光と同時に、赤いＬＥＤ１５が点灯して赤くなった画素を含む画像を読み取り（ステップＳ１０８）、画像入力装置４０が、画像読取装置１００の読み取った読取画像を入力制御部４４を介して取得する（ステップＳ１０９）。
【０１１３】
画像入力装置４０は、取得した読取画像を画像記憶部４０６に一旦格納して（ステップＳ１１０）、画像記録部４０６に格納した読取画像を、操作・表示部４０４のディスプレイ４２に、例えば、図２２に示すように表示し、赤くなった画素部分の画像を拡大して、目視で読取線位置を確認することができるようにする。画像入力装置４０は、演算部４０３が上記読取画像データから読取線位置を算出した読取線情報、または、ディスプレイ３３への表示を目視して入力された読取線情報をデータ記録部４０７に格納し、制御部４０１が通信部４０５を介して照度計測装置３０に送信する（ステップＳ１１１）。
【０１１４】
なお、図２２において、発光光は、例えば、ＬＥＤ１５が赤い発光色であると、読取画像内に発光光である赤い画素が発生し、副走査方向に発生した発光光である赤い画素部分の先頭が検出した読取線となる。画像入力装置４０は、読取線位置を算出する場合、上記検出した読取線情報と読取画像内の基準パターンである目盛１３ａの黒画像部分の基準位置から読取線位置を算出する。
【０１１５】
そして、照度計測装置３０は、その演算部３０３が、上記切り出した撮影画像データの読値に対応する照度を基準読値照度テーブルから算出して拡散透過板１０上の照度分布を算出し、また、画像入力装置４０からの読取線情報を通信部３０５で受信して、データ記憶部３０７へ格納した後、上記照度分布と読取線を、操作・表示部３０４のディスプレイ３３に表示する（ステップＳ１１２）。
【０１１６】
この場合、照度計測装置３０は、画像入力装置４０から読取線情報が送られてくると、読取画像と撮影装置２０からの撮影画像との間の補正計算を行い、検出した読取線を図２１に示したように表示する。例えば、画像読取装置１００が、６００ｄｐｉの解像度であると、１画素が４２．３μｍ、１ｍｍは２３．６画素となり、また、撮影装置２０が、ＣＣＤカメラ２２に５０ｍｍのレンズ２３が取り付けられたものであり、例えば、１ｍｍ毎の基準パターン（目盛１３ａ）から１ｍｍが１２画素であると、画像読取装置１００の読取画像の画素ピッチは、撮影装置２０の撮影した撮像画像の約１／２倍であるので、読取画像で基準位置から読取線位置が４２画素とすると、撮影画像上では、基準位置から２１画素目が読取線となる。
【０１１７】
このように、本実施の形態の照度分布計測システム１は、原稿載置台であるコンタクトガラス１０３上に照明光を拡散透過する拡散透過板１０を載置し、当該拡散透過板１０の読取線位置に読取線位置マークをＬＥＤ１５で付与して、ランプ１１０から照明光の照射されている拡散透過板１０を当該拡散透過板１０の上方から撮影装置２０で撮影するとともに、画像読取装置１００の撮像部１０６の撮像素子１１７の撮像したコンタクトガラス１０３上の拡散透過板１０とＬＥＤ１５の付与した読取線位置マークの撮像画像を画像入力装置４０で取得し、当該取得した拡散透過板１０と読取線位置マークの撮像画像に基づいて読取線位置を決定して、当該決定した読取線位置の撮影画像と画像信号強度分布に対応するデータ記憶部３０７の基準読値照度テーブルに基づいて当該撮影画像の照度分布を算出している。
【０１１８】
したがって、１回の操作で、かつ、より短時間で、原稿面照度分布と読取線位置を取得することができ、効率的にかつ高精度に照度分布を計測することができる。
【０１１９】
また、本実施の形態の照度分布計測システム１は、拡散透過板１０を、図７に示したように、減反射コーティング１７等の表面反射を防止する減反射構造を備えたものとしている。
【０１２０】
したがって、照明光が表面反射によって再度画像読取装置１００内に戻ってフレア現象を引き起こすことを防止することができ、より一層高精度に照度分布を計測することができる。
【０１２１】
さらに、本実施の形態の照度分布計測システム１は、拡散透過板１０を、図８に示したように、光を吸収するフィルタ構造を備えたものとしている。
【０１２２】
したがって、照明光が表面反射によって再度画像読取装置１００内に戻ってフレア現象を引き起こすことを防止することができ、より一層高精度に照度分布を計測することができる。
【０１２３】
また、本実施の形態の照度分布計測システム１は、マーキング手段を、発光手段であるＬＥＤ１５を備え、当該ＬＥＤ１５が発光することでスリット１４を通過した光が読取線位置マークを拡散透過板１０の読取線位置に付与するものとしている。
【０１２４】
したがって、画像読取装置１００の撮像画像から読取線位置をより簡単かつ適切に検出することができ、より一層高精度に照度分布を計測することができる。
【０１２５】
さらに、本実施の形態の照度分布計測システム１は、拡散透過板１０及びＬＥＤ１５の近傍に、副走査方向の寸法を明示する基準パターンである目盛１３ａの付与された目盛板１３を配設している。
【０１２６】
したがって、撮影画像と撮像画像に基準パターンを含ませて、撮像画像上の読取線位置情報を、撮影画像への読取線位置情報に補正して、精度よく読取線位置を決定することができ、より一層高精度に照度分布を計測することができる。
【０１２７】
そして、照度分布計測システム１は、上記画像読取装置１００での拡散透過板１０の読取動作において、照度計測装置３０が、計測対象である画像読取装置１００の読取タイミングを適切に設定する。
【０１２８】
すなわち、画像読取装置１００が、図２３に示すように、ランプ１１０を点灯した状態で、副走査方向に走査させ、起動開始時の第１走行体１０４が照度分布計測領域に相当する位置に移動してくるまでの時間をｔ（図２４参照）とすると、照度計測装置３０は、図２５に示すように、計測対象の画像読取装置１００から起動開始時に出力される画像読取制御信号から、ｔ秒後に撮影装置２０への撮影タイミング信号を発生させて、撮影装置２０の撮影タイミングを決定する。
【０１２９】
このようにすると、画像読取装置１００が画像読取動作中の任意の計測領域における照度分布を取得することができる。
【０１３０】
また、本実施の形態の照度分布計測システム１は、撮影装置２０による撮影時間とＬＥＤ１５の点灯時間を同じに決定するようにしてもよい。
【０１３１】
すなわち、照度計測装置３０は、図２６に示すように、撮影装置２０の撮影タイミングに合わせて、入出力制御部３１を介して撮影制御信号を撮影装置２０に出力して撮影する撮影時間と、入出力制御部３１を介して発光器点灯制御信号をＬＥＤ１５に出力してＬＥＤ１５を点灯させている発光点灯時間とをほぼ同一に制御する。
【０１３２】
この場合、撮影時間は、計測対象の画像読取装置１００が、６００ＤＰＩ、スキャナ線速１２５ｍｍ／ｓとすると、約０．３ｍｓとなる。
【０１３３】
このように、撮影時間とＬＥＤ１５の発光時間がほぼ同一になるように制御すると、画像入力装置４０で読込まれる読取画像中にＬＥＤ１５による点灯がほぼ１画素分となり、読取線位置を正確に検出することができる。
【０１３４】
さらに、本実施の形態の照度分布計測システム１は、計測対象の画像読取装置１００の線順次画像読取動作における、１ライン画像入力時間と、撮影装置２０における画像蓄積時間が同じか、等倍比になるように、撮影装置２０を設定してもよい。
【０１３５】
このように設定すると、撮影装置２０が１回の撮影で取り込んだ撮影画像は、前記１ライン画像入力時の光取込量と同一か、または、等倍となり、計測対象の画像読取装置１００の線順次画像読取動作における１ライン画像入力に相当する照度分布計測を容易に実施することができる。
【０１３６】
また、本実施の形態の照度分布計測システム１は、計測対象の画像読取装置１００の照明光１２２が撮影装置２０の受光レンジの範囲を超えている場合、すなわち、画像が飽和してしまう場合、撮影時間（Ｔ）であるシャッタースピードを短くする等の対応が必要であるが、撮影時間を変更すると、異なる照明光強度の画像読取装置と比較する等を行うことが困難になる。
【０１３７】
そこで、本実施の形態の照度分布計測システム１は、照度分布測定装置３０が、撮像装置２０の１回の画像入力における撮影時間（Ｔ）を用いて、画像信号演算工程において画像記録工程で記録された画像の信号強度レベルを算出する。
【０１３８】
この場合、記録された画像信号値をＰ、算出する信号強度レベルをＬとすると、信号強度レベルは、以下の計算式で算出される。
【０１３９】
Ｌ＝Ｐ／Ｔ
したがって、撮影時間（Ｔ）を変化させても、上記計算式を適用することで、単位時間当たりの光量に換算された信号強度レベルを算出することができ、普遍性を確保することができる。
【０１４０】
図２７は、本発明の照度分布計測装置及び照度分布計測方法の第２の実施の形態を示す図である。
【０１４１】
本実施の形態は、上記第１の実施の形態の照度分布計測システム１と同様の照度分布計測システムに適用したものであり、本実施の形態の説明においては、必要に応じて、上記第１の実施の形態の説明に用いた符号をそのまま用いて説明する。
【０１４２】
本実施の形態の照度分布計測システム１は、上記第１の実施の形態の照度分布計測システム１と同様の構成であるが、照度計測装置３０のデータ記憶部（データ記憶手段）３０７は、上記基準読値照度テーブル及び読取線位置等のデータを記憶するとともに、撮影装置２０の光学的な収差補正データをも記憶し、演算部３０３が、制御部３０１の制御下で、画像記憶部３０６の撮影画像データの画像の切出しを行い、当該切り出した撮影画像データをデータ記憶部３０７の収差補正データに基づいて補正計算する。
【０１４３】
すなわち、照度分布計測システム１は、図２７に示すように、拡散透過板１０が計測対象の画像読取装置１００のコンタクトガラス１０３上に設置されると（ステップＳ２０１）、画像読取装置１００の照明であるランプ１１０を点灯させて操作を開始する（ステップＳ２０２）。
【０１４４】
画像読取装置１００の走査が開始すると、照度計測装置３０が、拡散透過板１０の発光器であるＬＥＤ１５を発光させると同時に、撮影装置２０を制御して拡散透過板１０の面（拡散透過板面）を撮影させ（ステップＳ２０３）、撮影装置２０の撮影した撮影画像を入出力制御部３１を介して取り込んで（ステップＳ２０４）、取り込んだ撮影画像を画像記憶部３０６に記憶する（ステップＳ２０５）。
【０１４５】
照度計測装置３０は、制御部３０１の制御下で、画像記憶部３０６から撮影画像データを取り出して、演算部３０３が、撮影画像データの画像の切出しを行い（ステップＳ２０６）、データ記憶部３０７から収差補正データを読み出す（ステップＳ２０７）。
【０１４６】
一方、画像読取装置１００の走査が開始すると、画像読取装置１００が、拡散透過板１０の発光器であるＬＥＤ１５の発光と同時に、赤いＬＥＤ１５が点灯して赤くなった画素を含む画像を読み取り（ステップＳ２０８）、画像入力装置４０が、画像読取装置１００の読み取った読取画像を入力制御部４４を介して取得する（ステップＳ２０９）。
【０１４７】
画像入力装置４０は、取得した読取画像を画像記憶部４０６に一旦格納して（ステップＳ２１０）、画像記録部４０６に格納した読取画像を、操作・表示部４０４のディスプレイ４２に、例えば、図２２に示したように、表示し、赤くなった画素部分の画像を拡大して、目視で読取線位置を確認することができるようにする。画像入力装置４０は、演算部４０３が上記読取画像データから読取線位置を算出した読取線情報、または、ディスプレイ３３への表示を目視して入力された読取線情報をデータ記録部４０７に格納し、制御部４０１が通信部４０５を介して照度計測装置３０に送信する（ステップＳ２１１）。
【０１４８】
画像入力装置４０は、読取線位置を算出する場合、上記検出した読取線情報と読取画像内の基準パターンである目盛１３ａの黒画像部分の基準位置から読取線位置を算出する。
【０１４９】
照度計測装置３０は、その演算部３０３が、上記読み出した収差補正データで上記切り出した撮影画像データを補正し（ステップＳ２１２）、データ記憶部３０７から基準読値照度テーブルを読み出す（ステップＳ２１３）。
【０１５０】
そして、照度計測装置３０は、その演算部３０３が、上記切り出した後、補正した補正撮影画像データの読値に対応する照度を基準読値照度テーブルから算出して拡散透過板１０上の照度分布を算出し、また、画像入力装置４０からの読取線情報を通信部３０５で受信して、データ記憶部３０７へ格納した後、上記照度分布と読取線を、例えば、図１８または図１９に示したように、操作・表示部３０４のディスプレイ３３に表示する（ステップＳ２１４）。
【０１５１】
このように、本実施の形態の照度分布計測システム１は、撮影装置２０の光学的な収差を補正するための収差補正データに基づいて撮影画像を補正し、当該補正された撮影画像に基づいて照度分布を算出している。
【０１５２】
したがって、撮影装置２０の光学的な収差の影響をなくすことができ、より高精度に照度分布を計測することができる。
【０１５３】
なお、本実施の形態の照度分布計測システム１は、照度計測装置３０が、上記収差補正を行うに際して、撮影装置２０に搭載されたＣＣＤの特性を用いて暗時出力特性（真っ暗でも読み値が０にならない）の補正等を行ってもよい。この暗時出力特性の補正としては、例えば、基本的には真っ暗な画像（レンズが完全遮光の状態）に対する読取値を計測画像から差し引くという演算を行なう。
【０１５４】
すなわち、ＣＣＤの特性を含む撮影装置２０の特性の均一性が十分であれば、単純に基準黒レベルを引き算するだけでよいが、一般には、撮影に用いるレンズには収差があり、例えば、読取画像の端部では読取値が暗くなる。また、この読取値は、レンズの絞り値などで変化する。
【０１５５】
そこで、本実施の形態の照度分布計測システム１では、上述のように、収差補正（シェーディング補正等）を行っている。例えば、均一な白画像（均一な光源でもよい）を準備し、これを読取った画像を用いて１画素毎に基準白値を設定し、以下に示す換算式を用いて１画素毎に補正読値を算出する。
【０１５６】
補正読値＝２５５×（読値／基準白値）
そして、この収差補正を行う際に、暗時出力特性補正を行うには、黒補正（暗時出力特性補正）も含めた変換式として、次式を用いる。
【０１５７】
補正読値＝２５５×（読値−黒基準値）／（基準白値−黒基準値）
具体的には、図１０に示したような基準読値照度テーブルでは、照度を以下のように直線近似することができる。
【０１５８】
照度＝９．４６６７×読値−９２．０２２
したがって、黒基準読値は、約９．７である。
【０１５９】
そして、この場合、照度計測装置３０は、この算出結果をグラフ化し、グラフ化された収差補正データを操作・表示部３０４のディスプレイ３３に表示するようにしてもよい。このようにすると、より一層高精度に照度分布を計測することができる。
【０１６０】
以上、本発明者によってなされた発明を好適な実施の形態に基づき具体的に説明したが、本発明は上記のものに限定されるものではなく、その要旨を逸脱しない範囲で種々変更可能であることはいうまでもない。
【０１６１】
【発明の効果】
請求項１記載の発明の照度分布計測装置によれば、原稿載置台上に載置された原稿に当該原稿載置台の下方から照明手段で照明光を読取線位置に照射して原稿からの反射光を撮像手段に入射して当該原稿の画像を読み取る画像読取装置の照明手段による原稿載置台への照明光の照度分布を計測するに際して、照明手段からの照明光を拡散透過する拡散透過板を原稿載置台上に載置し、当該拡散透過板の読取線位置に読取線位置マークをマーキング手段で付与して、照明手段から照明光の照射されている拡散透過板を当該拡散透過板の上方から撮影手段で撮影するとともに、画像読取装置の撮像手段の撮像した原稿載置台上の拡散透過板とマーキング手段の付与した読取線位置マークの撮像画像を画像入力手段で取得し、当該取得した拡散透過板と読取線位置マークの撮像画像に基づいて読取線位置を決定して、当該決定した読取線位置の撮影画像と画像信号強度分布に対応する基準読値照度テーブルに基づいて当該撮影画像の照度分布を算出するので、１回の操作で、かつ、より短時間で、原稿面照度分布と読取線位置を取得することができ、効率的にかつ高精度に照度分布を計測することができる。
【０１６２】
請求項２記載の発明の照度分布計測装置によれば、撮影手段の光学的な収差を補正するための収差補正データに基づいて撮影画像を補正し、当該補正された撮影画像に基づいて照度分布を算出するので、撮影手段の光学的な収差の影響をなくすことができ、より高精度に照度分布を計測することができる。
【０１６３】
請求項３記載の発明の照度分布計測装置によれば、拡散透過板を、表面反射を防止する減反射構造を備えたものとしているので、照明光が表面反射によって再度画像読取装置内に戻ってフレア現象を引き起こすことを防止することができ、より一層高精度に照度分布を計測することができる。
【０１６４】
請求項４記載の発明の照度分布計測装置によれば、拡散透過板を、光を吸収するフィルタ構造を備えたものとしているので、照明光が表面反射によって再度画像読取装置内に戻ってフレア現象を引き起こすことを防止することができ、より一層高精度に照度分布を計測することができる。
【０１６５】
請求項５記載の発明の照度分布計測装置によれば、マーキング手段を、発光手段を備え、当該発光手段が発光することで読取線位置マークを拡散透過板の読取線位置に付与するものとしているので、画像読取装置の撮像画像から読取線位置をより簡単かつ適切に検出することができ、より一層高精度に照度分布を計測することができる。
【０１６６】
請求項６記載の発明の照度分布計測装置によれば、拡散透過板及びマーキング手段の近傍に、副走査方向の寸法を明示する基準パターンを配設しているので、撮影画像と撮像画像に基準パターンを含ませて、撮像画像上の読取線位置情報を、撮影画像への読取線位置情報に補正して、精度よく読取線位置を決定することができ、より一層高精度に照度分布を計測することができる。
【０１６７】
請求項７記載の発明の照度分布計測装置によれば、撮影手段の撮影時間とマーキング手段の発光手段の発光時間を略同一にしているので、読取線位置を副走査方向の１画素の精度で正確かつ高速に検出することができ、より一層高精度に照度分布を計測することができる。
【０１６８】
請求項８記載の発明の照度分布計測装置によれば、画像読取装置が画像読取開始時に出力する制御信号を取り込んで撮影手段の撮影タイミングを決定するので、画像読取装置が線順次読み取り動作での任意位置の照度分布を計測することができ、より実際の画像読取動作における照度分布を計測して、より一層高精度に照度分布を計測することができる。
【０１６９】
請求項９記載の発明の照度分布計測装置によれば、画像読取装置の制御信号に基づいて、撮影手段の撮影時間を当該画像読取装置の画像読取時間に比例した時間に決定するので、画像読取装置の撮像手段での蓄積時間（画像読取時間）に相当する光量の照度分布を簡便に取得することができ、より簡単かつ高精度に照度分布を計測することができる。
【０１７０】
請求項１０記載の発明の照度分布計測装置によれば、決定した画像読取装置の撮像手段による撮像時間と撮影手段による撮影時間との比に応じて、撮影画像の信号強度レベルを補正し、当該補正後の信号強度レベルの撮影画像に基づいて照度分布を算出するので、撮影時間を短くして、照明光が撮影手段の受光レンジの範囲を超えて画像データの値が飽和してしまうことを回避しつつ、常に所定時間当たりの照度値を取得することができ、より一層高精度に照度分布を計測することができる。
【０１７１】
請求項１１記載の発明の照度分布計測方法によれば、原稿載置台上に載置された原稿に当該原稿載置台の下方から照明手段で照明光を読取線位置に照射して原稿からの反射光を撮像手段に入射して当該原稿の画像を読み取る画像読取装置の照明手段による原稿載置台への照明光の照度分布を計測するに際して、照明手段からの照明光を拡散透過する拡散透過板を原稿載置台上に載置し、当該拡散透過板の読取線位置に読取線位置マークをマーキング手段で付与して、照明手段から照明光の照射されている拡散透過板を当該拡散透過板の上方から撮影手段で撮影するとともに、画像読取装置の撮像手段の撮像した原稿載置台上の拡散透過板とマーキング手段の付与した読取線位置マークの撮像画像を画像入力手段で取得し、当該取得した拡散透過板と読取線位置マークの撮像画像に基づいて読取線位置を決定して、当該決定した読取線位置の撮影画像と画像信号強度分布に対応する基準読値照度テーブルに基づいて当該撮影画像の照度分布を算出しているので、１回の操作で、かつ、より短時間で、原稿面照度分布と読取線位置を取得することができ、効率的にかつ高精度に照度分布を計測することができる。
【０１７２】
請求項１２記載の発明の照度分布計測方法によれば、撮影手段の光学的な収差を補正するための収差補正データに基づいて撮影画像を補正し、当該収差補正した撮影画像に基づいて照度分布を算出しているので、撮影手段の光学的な収差の影響をなくすことができ、より高精度に照度分布を計測することができる。
【０１７３】
請求項１３記載の発明の照度分布計測方法によれば、計測対象の画像読取装置が画像読取開始時に出力する制御信号を取り込んで、撮影手段の撮影タイミングを決定するので、画像読取装置が線順次読み取り動作での任意位置の照度分布を計測することができ、より実際の画像読取動作における照度分布を計測して、より一層高精度に照度分布を計測することができる。
【０１７４】
請求項１４記載の発明の照度分布計測方法によれば、画像読取装置の制御信号に基づいて撮影手段の撮影時間を当該画像読取装置の画像読取時間に比例した時間に決定しているので、画像読取装置の撮像手段での蓄積時間（画像読取時間）に相当する光量の照度分布を簡便に取得することができ、より簡単かつ高精度に照度分布を計測することができる。
【図面の簡単な説明】
【図１】本発明の照度分布計測装置及び照度分布計測方法の第１の実施の形態を適用した照度分布計測システムのシステム構成図。
【図２】図１の画像読取装置の概略構成斜視図。
【図３】図２の画像読取装置の要部概略構成拡大正面図。
【図４】図１の拡散透過板部分の上面図。
【図５】図１の拡散透過板部分の正面断面図。
【図６】図１の拡散透過板部分の下面図。
【図７】図１の拡散透過板の他の例の正面断面図と部分拡大図。
【図８】図１の拡散透過板のさらに他の例の正面断面図。
【図９】図１の目盛板部分の他の例の上面図。
【図１０】図１の目盛板部分のさらに他の例の上面図。
【図１１】図１の照度計測装置と画像入力装置の要部回路ブロック図。
【図１２】図１１の照度計測装置のデータ記憶部に格納されている基準読値照度テーブルの一例を示す図。
【図１３】図１２の基準読値照度テーブルの測定装置の一例を示す図。
【図１４】原稿面照度分布（ａ）と画像読取性能（ｂ）を示す図。
【図１５】画像読取装置でのフレア現象の発生の様子を示す図。
【図１６】図１の照度分布計測システムで拡散透過板を用いた照度計測と読取画像の読取を行っている状態の要部説明図。
【図１７】図１６のコンタクトガラスと拡散透過板部分の正面拡大断面図。
【図１８】図１の照度計測装置に表示される立体状の照度分布の一例を示す図。
【図１９】図１の照度計測装置に表示される等高線状の照度分布の一例を示す図。
【図２０】図１の照度分布計測システムによる照度分布計測処理を示すフローチャート。
【図２１】図２０の照度分布計測処理で照度計測装置が撮影装置から取り込んで表示する拡散透過板部分の撮影画像の一例を示す図。
【図２２】図２０の照度分布計測処理で画像入力装置が画像読取装置から取り込んで表示する拡散透過板部分の読取画像の一例を示す図。
【図２３】図１の画像読取装置の第１走行体の拡散透過板の測定位置への移動状態を示す部分正面図。
【図２４】図１の画像読取装置の第１走行体の拡散透過板の測定位置への移動タイミングの説明図。
【図２５】図２４及び図２５の第１の走行体の移動と画像入力装置による画像読取制御信号と撮影タイミングの説明図。
【図２６】図１の撮影装置の撮影時間とＬＥＤの点灯時間をほぼ同じにする際の照度計測装置によるＬＥＤ点灯制御信号と画像入力装置による撮影制御信号及び撮影タイミングの関係を示す図。
【図２７】本発明の照度分布計測装置及び照度分布計測方法の第２の実施の形態を適用した照度分布計測システムによる照度分布計測処理を示すフローチャート。
【図２８】従来の画像読取装置の照度分布計測方法の説明図。
【符号の説明】
１　照度分布計測システム
１０　拡散透過板
１１　ポリエステルフィルム
１２　ＮＤフィルム
１３　目盛板
１３ａ　目盛
１４　スリット
１５　ＬＥＤ
１６　摺りガラス
１７　減反射コーティング
１８　オパールガラス
２０　撮影装置
２１　スタンド
２２　ＣＣＤカメラ
２３　レンズ
３０　照度計測装置
３１　入出力制御部
３２　本体
３３　ディスプレイ
３４　キーボード
４０　画像入力装置
４１　本体
４２　ディスプレイ
４３　キーボード
４４　入出力制御部
５０　ハブ
１００　画像読取装置
１０１　原稿載置面
１０２　本体筐体
１０３　コンタクトガラス
１０４　第１走行体
１０５　第２走行体
１０６　撮像部
１０７　駆動伝達部
１０８　操作表示部
１０９　モータ
１１０　ランプ
１１１　リフレクター
１１２　折り返しミラー
１１３　照明部
１１４、１１５　折り返しミラー
１１６　レンズ
１１７　撮像素子
１１８、１１９　ワイヤプーリ
１２０　タイミングベルト
１２１　ワイヤ
１２２　照明光
１２３　撮像領域
１３０　原稿
３０１、４０１　制御部
３０２、４０２　画像信号入力部
３０３、４０３　演算部
３０４、４０４　操作・表示部
３０５、４０５　通信部
３０６、４０６　画像記憶部
３０７、４０７　データ記憶部
【図１】
2004037156.tif 000003
【図２】
2004037156.tif 000004
【図３】
2004037156.tif 000005
【図４】
2004037156.tif 000006
【図５】
2004037156.tif 000007
【図６】
2004037156.tif 000008
【図７】
2004037156.tif 000009
【図８】
2004037156.tif 000010
【図９】
2004037156.tif 000011
【図１０】
2004037156.tif 000012
【図１１】
2004037156.tif 000013
【図１２】
2004037156.tif 000014
【図１３】
2004037156.tif 000015
【図１４】
2004037156.tif 000016
【図１５】
2004037156.tif 000017
【図１６】
2004037156.tif 000018
【図１７】
2004037156.tif 000019
【図１８】
2004037156.tif 000020
【図１９】
2004037156.tif 000021
【図２０】
2004037156.tif 000022
【図２１】
2004037156.tif 000023
【図２２】
2004037156.tif 000024
【図２３】
2004037156.tif 000025
【図２４】
2004037156.tif 000026
【図２５】
2004037156.tif 000027
【図２６】
2004037156.tif 000028
【図２７】
2004037156.tif 000029
【図２８】
2004037156.tif 000030